(57)【特許請求の範囲】
【請求項１】
座の後方において立上がる背フレームの上部に、側断面形が前向くの字形をなし、かつ上下方向の中間部に正面視Ｕ字形のスリットを設けることにより、上下方向の中間部において、前後方向に弾性屈曲可能とした背シェルを、その屈曲可能部よりも上方において、左右軸まわりに回動可能に取付け、かつ背シェルの下部を、前記背フレームの下部に、上下摺動可能に係止したことを特徴とする椅子の背もたれ装置。
【請求項２】
背シェルにおける正面視Ｕ字形のスリットの内方部分が、その外方部分に対して、過度に前向きに突出するのを防止するための拘束手段を、前記スリットの適所に設けたことを特徴とする請求項１記載の椅子の背もたれ装置。
【請求項３】
拘束手段が、背シェルにおけるスリットの内方部分と外方部分とを連結する可撓片であることを特徴とする請求項２記載の椅子の背もたれ装置。
【請求項４】
拘束手段が、背シェルにおけるスリットの内方部分と外方部分とを連結する弾性片であることを特徴とする請求項２記載の椅子の背もたれ装置。
【請求項５】
拘束手段が、背シェルにおけるスリットの内方部分と外方部分とを連結する前方を向くＵ形の接続片であることを特徴とする請求項２記載の椅子の背もたれ装置。
【請求項６】
背フレームが、左右１対の縦杆を備え、背シェルの下部両側に、各縦杆と上下摺動可能に係合するための側方を向き、かつ端部が前向きに湾曲する係合片を設けたことを特徴とする請求項１〜５のいずれかに記載の椅子の背もたれ装置。
【請求項７】
背フレームが、左右１対の縦杆を備え、両縦杆の上部同士を連結する横杆に、背シェルの上部を、左右軸まわりに回動可能に取付けたことを特徴とする請求項１〜６のいずれかに記載の椅子の背もたれ装置。
【発明の詳細な説明】
【０００１】
【発明の属する技術分野】
本発明は、後傾に伴ってランバーサポート機能を発揮しうるようにした椅子の背もたれ装置に関する。
【０００２】
【従来の技術】
背もたれを後傾させるのに伴って、  そのランバーサポート部分を相対的に前向突出させることにより、ランバーサポート機能を顕著に発揮させるようにした背もたれ装置としては、幾多のものが既に知られている。
【０００３】
【発明が解決しようとする課題】
しかし、従来のランバーサポート機能を有する背もたれ装置は、いずれも、構造が複雑であるか、部品点数が多くて、製作が面倒であるとともにコスト高であり、かつ廃棄処分等の際の分解が面倒であった。
【０００４】
本発明は、構造が簡単で、部品点数が少く、しかも作動が確実な、ランバーサポート機能を有する椅子の背もたれ装置を提供することを目的とするものである。
【０００５】
【課題を解決するための手段】
本発明によると、上記課題は、次のようにして解決される。
(１) 座の後方において立上がる背フレームの上部に、側断面形が前向くの字形をなし、かつ上下方向の中間部に正面視Ｕ字形のスリットを設けることにより、上下方向の中間部において、前後方向に弾性屈曲可能とした背シェルを、その屈曲可能部よりも上方において、左右軸まわりに回動可能に取付け、かつ背シェルの下部を、前記背フレームの下部に、上下摺動可能に係止する。
【０００６】
(２) 上記(１)項において、背シェルにおける正面視Ｕ字形のスリットの内方部分が、その外方部分に対して、過度に前向きに突出するのを防止するための拘束手段を、前記スリットの適所に設ける。
【０００７】
(３) 上記(２)項において、拘束手段を、背シェルにおけるスリットの内方部分と外方部分とを連結する可撓片とする。
【０００８】
(４) 上記(２)項において、拘束手段を、背シェルにおけるスリットの内方部分と外方部分とを連結する弾性片とする。
【０００９】
(５) 上記(２)項において、拘束手段を、背シェルにおけるスリットの内方部分と外方部分とを連結する前方を向くＵ形の接続片とする。
【００１０】
(６) 上記(１)〜(５)項のいずれかにおいて、背フレームが、左右１対の縦杆を備えるものとし、かつ背シェルの下部両側に、各縦杆と上下摺動可能に係合するための側方を向き、かつ端部が前向きに湾曲する係合片を設ける。
【００１１】
(７) 上記(１)〜(６)項のいずれかにおいて、背フレームが、左右１対の縦杆を備えるものとし、かつ両縦杆の上部同士を連結する横杆に、背シェルの上部を、左右軸まわりに回動可能に取付けたことを特徴とする請求項１〜６のいずれかに記載の椅子の背もたれ装置。
【００１２】
【発明の実施の形態】
図１において、(１)は、図示を省略した座の後方において立上がる背フレームにおける左右の縦杆であり、上下方向の中間部(1a)において、前向くの字形に僅かに屈曲され、かつ上端部同士は、横杆(２)をもって連結されている。
【００１３】
(３)は、硬質の合成樹脂板もしくは金属板からなる背シェルで、側断面形が前向くの字形をなし、かつ上下方向の中間部(3a)において、前後方向に弾性屈曲可能とされている。
【００１４】
図示した実施の形態においては、背シェル(３)を、その上下方向の中間部(3a)において、前後方向に弾性屈曲しうるようにするために、図３に示すように、背シェル(３)の上下方向の中間部(3a)に、正面から見て、浅いＵ字形のスリット(４)を切ってある。
【００１５】
しかして、背シェル(３)が前記横杆(２)のまわりに後傾して、背シェル(３)における正面視Ｕ形のスリット(４)の外方部分(６)が後向きに湾曲した際、スリット(４)の内方部分(５)も、外方部分(６)にある程度追随して変形しうるようにするために、スリット(４)の下辺の中央部において、前記内方部分(５)と外方部分(６)とは、前後方向の拘束手段をもって連結されている（請求項２記載の発明）。
【００１６】
この拘束手段は、可撓片（請求項３記載の発明）、もしくは弾性片（請求項４記載の発明）であってもよいが、図示の実施の形態においては、前記内方部分(５)の中央部下縁に上端が止着された、側面視前向Ｕ形の縦方向の接続片(７)としてあり、その下片の前端を、前記外方部分(６)の中央部上縁に設けた左右方向を向く係止孔(８)に係止してある（請求項５記載の発明）。
【００１７】
背シェル(３)の下部両側、すなわちスリット(４)の外方部分(６)の下部に、背もたれの縦杆(１)(１)の間隔とほぼ同間隔をもって、端部が前方を向くように湾曲する横向きの係合片(９)(９)を、背シェル(３)を切起こすことによって形成し、各係合片(９)を、縦杆(１)に、後方から上下摺動可能に係合してある（請求項６記載の発明）。
【００１８】
背シェル(３)の上部背面は、左右の縦杆(１)(１)の上端同士を連結する横杆(２)に、左右軸まわりに回動可能に支持されている（請求項７記載の発明）。
【００１９】
この支持は、左右方向を向く軸ピンで行ってもよいが、図示の実施態様においては、背シェル(３)の背面における横杆(２)と対応する個所に、後方を向く中空突起(10)を設け、横杆(２)と中空突起(10)へ締付ねじ(11)を、若干の遊びをもって貫挿し、ナット(12)締めすることにより支持してある。従って背シェル(３)は、締付ねじ(11)の遊びの範囲において、締付ねじ(11)の部分を中心として、前後に傾動することができる。
【００２０】
なお、背シェル(３)の前面には、適宜のクッション体や外皮が張設されるが、図においては、これらを省略してある。
【００２１】
着座者が背シェル(３)を後方へ押すと、背シェル(３)は、横杆(２)への取付部を中心として、後方へ傾動する。
【００２２】
これに伴い、背シェル(３)における横杆(２)の下方部分は、前向きに傾動しようとするが、背シェル(３)の下端部は、縦杆(１)に係合している係合片(９)により、前方移動を拘束されているため、横杆(２)の下方における背シェル(３)の上下方向の中間部(3a)は大きく前方へ突出し、着座者の腰部を強く押圧して、強いランバーサポート効果を発揮する。
【００２３】
しかして、実施形態においては、背シェル(３)に正面視Ｕ形のスリット(４)を設け、係合片(９)外方部分(６)の下端部に前記係合片(９)を設けてあるため、背シェル(３)の後方傾動に伴い、スリット(４)の内方部分(５)の下部は、その外方部分(６)よりも大きく前方へ突出し、着座者の腰部を、強力に弾性的に押圧することとなり快適である。
【００２４】
なお、上記した背シェル(３)のスリット(４)の内方部分(５)の前向突出量は、接続片(７)その他の拘束手段により、好ましい量に規制されているので、着座者に不快感を与えることはなく、また張設されているクッション体や外皮を過度に傷めることもない。
【００２５】
【発明の効果】
次に、各請求項に記載の発明に特有の主要な効果を列記する。
請求項１：−背シェルを後方へ傾動させると、背シェルの上下方向の中間部は前方へ大きく突出して、着座者の腰部を押圧する。
また、背シェルの後傾に伴い、Ｕ字形スリットの内方部分が、大きく相対的に前方へ突出し、強いランバーサポート効果を発揮する。
【００２６】
請求項２〜５：−背シェルの後傾に伴うＵ字形スリットの内方部分の前向突出量を、適切に定めることができる。
【００２７】
請求項６：−背シェルの後傾に伴って、その下部を前方へ突出させるために、背シェルの下部を背フレームの下部に上下摺動可能に係合する手段が簡単となる。
【００２８】
請求項７：−  背フレームに対し、背フレームの上部を左右軸まわりに回動可能に取付けるための構成が簡単になる。
【図面の簡単な説明】
【図１】  本発明の実施形態を、クッション体および外皮を除いて例示する無負荷状態の側断面図である。
【図２】  同じく前方から荷重が掛った場合の図１と同様の側断面図である。
【図３】  同じく後方斜視図である。
【符号の説明】
(１)縦杆
(1a)中間部
(２)横杆
(３)背シェル
(3a)中間部
(４)スリット
(５)スリットの内方部分
(６)スリットの外方部分
(７)接続片
(８)係止孔
(９)係合片
(10)中空突起
(11)締付ねじ
(12)ナット
【図１】
0003834500.tif 000002
【図２】
0003834500.tif 000003
【図３】
0003834500.tif 000004